(57)【要約】【課題】  内輪と円錐ころと保持器とを組み込む際に、比較的小さい力で組み込むことができる円錐ころ軸受および円錐ころ軸受の保持器を提供する。【解決手段】  プレス保持器１５ｂの小径側環状部１７ｂには、小径側環状部１７ｂの直径を弾性的に拡大させることができる弾性拡径許容部として、小径側環状部１７ｂを横切ってポケット１６ｂにまで至るスリット２０ｂが設けられている。【選択図】      図１
2007024110.tif 000002
【特許請求の範囲】
【請求項１】
外輪と、内輪と、複数の円錐ころと、前記複数の円錐ころの間隔を保持する保持器とを備え、
前記保持器は、小径側環状部と、大径側環状部と、円錐ころを収容するポケットを形成するように前記小径側および大径側環状部を連結する複数の柱部とを含み、
前記小径側環状部は、環状部の直径を弾性的に拡大させ得る弾性拡径許容部を有している、円錐ころ軸受。
【請求項２】
前記弾性拡径許容部は、前記環状部を横切ってポケットにまで至るスリットである、請求項１に記載の円錐ころ軸受。
【請求項３】
前記スリットは、隣接する二つの柱部の中央に位置するように設けられている、請求項２に記載の円錐ころ軸受。
【請求項４】
前記スリットは、円周方向に等配で設けられている、請求項２または３に記載の円錐ころ軸受。
【請求項５】
複数の円錐ころの間隔を保持する保持器であって、
小径側環状部と、大径側環状部と、円錐ころを収容するポケットを形成するように前記小径側および大径側環状部を連結する複数の柱部とを含み、
前記小径側環状部は、環状部の直径を弾性的に拡大させ得る弾性拡径許容部を有している、円錐ころ軸受の保持器。
【発明の詳細な説明】
【技術分野】
【０００１】
この発明は、円錐ころ軸受および円錐ころ軸受の保持器に関し、特に、風力発電機の主軸等に使用され、大きなラジアル荷重やスラスト荷重を受けることができる円錐ころ軸受および円錐ころ軸受の保持器に関する。
【背景技術】
【０００２】
風力発電機の主軸に使用される軸受は、ブレードの自重等に対するラジアル荷重、風力に対するスラスト荷重およびモーメント荷重を受ける必要がある。さらには、風力発電機の主軸は片持ちの梁構造であるため、主軸の撓みに対する自動調心性を備えた軸受が求められるため、自動調心ころ軸受および円筒ころ軸受を組み合わせた軸受が使用されていた。図６は、自動調心ころ軸受１０１を風力発電機の主軸に使用した場合の概略図である。図６を参照して、自動調心ころ軸受１０１は、内輪１０２と、左右の列に配置された複数の調心ころ１０３ａ、１０３ｂと、複数の調心ころ１０３ａ、１０３ｂの間隔を保持する保持器１０４と、外輪１０５とを有する。自動調心ころ軸受１０１は、風を受けるブレード１１１が一方端に設けられた主軸１１２に取り付けられ、ハウジング１１３に組み込まれる。このように取り付けられた自動調心ころ軸受１０１と円筒ころ軸受とを組み合わせて、風力発電機の主軸に使用していた。
【０００３】
しかし、上記の二つの転がり軸受を組み合わせた軸受については、部品点数が多く、その削減が求められている。
【０００４】
そのような要求に応じて、自動調心ころ軸受と比較して調心性は劣るものの、一つの軸受で大きなスラスト荷重及びラジアル荷重を受けることができる円錐ころ軸受が、風力発電機の主軸に使用されている。このような用途に使用される円錐ころ軸受のうち、複列で外向きに配置されている複列円錐ころ軸受について、その構成を説明する。図７は、複列円錐ころ軸受１２１の断面図の一例である。図７を参照して、複列円錐ころ軸受１２１は、小径側端面が向き合うように配置された左右の内輪１２２ａ、１２２ｂと、外輪１２４と、内輪１２２ａ、１２２ｂと外輪１２４との間に配置された複数の円錐ころ１２３ａ、１２３ｂと、左右の列において複数の円錐ころ１２３ａ、１２３ｂの間隔を保持する左右のプレス保持器１２５ａ、１２５ｂとを有する。
【０００５】
図８は、複列円錐ころ軸受１２１に含まれるプレス保持器１２５ｂを表す図解的概略図である。図８を参照して、プレス保持器１２５ｂは、内輪１２２ｂに組み込まれたときに小鍔側に配置される小径側環状部１２７ｂと、内輪１２２ｂに組み込まれたときに大鍔側に配置される大径側環状部１２８ｂと、円錐ころ１２３ｂを収容するためのポケット１２６ｂを形成するように、小径側環状部１２７ｂと大径側環状部１２８ｂとを連結する複数の柱部１２９ｂとを有する。ここで、内輪１２２ｂの形状に沿って組み込まれるように、小径側環状部１２７ｂの直径は、大径側環状部１２８ｂの直径よりも小さく構成されている。
【０００６】
上記した複列円錐ころ軸受１２１を構成する部材のうち、内輪１２２ｂと円錐ころ１２３ｂとプレス保持器１２５ｂの組み込み方法を、図９（Ａ）および図９（Ｂ）を用いて説明する。
【０００７】
まず、小径側環状部１２７ｂの直径を、プレスを用いて拡大させる。この場合、プレス保持器１２５ｂは、全体として塑性変形をすることになる。次に、小径側環状部１２７ｂの直径が拡大されたプレス保持器１２５ｂの各ポケット１２６ｂに、円錐ころ１２３ｂをそれぞれ挿入する。円錐ころ１２３ｂを挿入後、円錐ころ１２３ｂを保持したプレス保持器１２５ｂを、円錐ころ１２３ｂの大端面が内輪１２２ｂの大鍔に接するように、内輪１２２ｂに取り付ける。
【０００８】
図９（Ａ）は、小径側環状部１２７ｂの直径が拡大され、円錐ころ１２３ｂが挿入されたプレス保持器１２５ｂを、内輪１２２ｂに取り付ける状態を表した断面図である。図９（Ａ）を参照して、プレス保持器１２５ｂに保持された円錐ころ１２３ｂの小端面の内接円径をＹとし、内輪１２２ｂの小鍔１３２ｂの最大外径をＸとすると、ＸよりもＹが大きくなるよう、小径側環状部１２７ｂの直径は拡大される。小鍔１３２ｂの最大外径よりも、円錐ころ１２３ｂの小端面の内接円径の方が大きいため、円錐ころ１２３ｂを保持したプレス保持器１２５ｂを矢印Ｗの方向から組み入れることにより、容易に内輪１２２ｂに取り付けることができる。ここで、小径側環状部１２７ｂの直径が拡大された場合の小径側環状部１２７ｂの内径面１３０ｂの内径をＺとする。
【０００９】
その後、プレス保持器１２５ｂの拡大された小径側環状部１２７ｂの直径を、プレスを用いて加締めて、元の形状、すなわち、小径側環状部１２７ｂの直径が拡大される前の直径に戻す。図９（Ｂ）は、この場合の断面図である。ここで、小径側環状部１２７ｂの直径が加締められた場合の小径側環状部１２７ｂの内径面１３０ｂの内径をＶとすると、ＶはＺよりも小さくなる。このようにして、内輪１２２ｂと円錐ころ１２３ｂとプレス保持器１２５ｂとを組み込む。
【００１０】
なお、組み込まれた内輪１２２ｂと円錐ころ１２３ｂとプレス保持器１２５ｂの集合体と、同様にして組み込まれた内輪１２２ａと円錐ころ１２３ａとプレス保持器１２５ａの集合体と、外輪１２４とを組み込むことにより、複列円錐ころ軸受１２１が組み立てられる。
【００１１】
このように、プレス保持器を使用して、小径側環状部の直径をプレスによって拡大し、内輪と円錐ころとプレス保持器を組み込んだ後に、プレスによって小径側環状部を加締めて元の形状に戻す円錐ころ軸受が特開２００１−２０８０５４号公報（特許文献１）に開示されており、また、複列円錐ころ軸受を主軸に使用した風力発電用風車が特開２００５−１０５９１７号公報（特許文献２）に開示されている。
【特許文献１】特開２００１−２０８０５４号公報（段落番号０００２〜０００４、図５）
【特許文献２】特開２００５−１０５９１７号公報（段落番号００２０〜００３９、図２）
【発明の開示】
【発明が解決しようとする課題】
【００１２】
より大きな発電量を得るためには、ブレード１１１がより大きな風を受ける必要があり、そのような環境下においては、主軸を支持する軸受は、より大きなラジアル荷重やスラスト荷重を受けるため、複列円錐ころ軸受１２１自体を大型化する必要がある。また、より大きなスラスト荷重およびモーメント荷重を受けるためには、外輪軌道面と複列円錐ころ軸受１２１の回転軸線とのなす角度である接触角を大きくする必要がある。
【００１３】
複列円錐ころ軸受１２１が大型化すれば、それに伴い、各構成部材も大型化することになる。ここで、上記した方法により内輪１２２ｂと円錐ころ１２３ｂとプレス保持器１２５ｂを組み込む場合、プレス保持器１２５ｂの小径側環状部１２７ｂの直径を拡大させるためのプレスや、加締めて元の形状に戻すプレスについても大型化する必要があり、加工性が悪くなることになる。
【００１４】
また、大きなスラスト荷重およびモーメント荷重を受けるために接触角を大きくした場合、小径側環状部１２７ｂの直径をより大きく拡大させなければ、内輪１２２ｂと円錐ころ１２３ｂとプレス保持器１２５ｂを組み込むことができず、小径側環状部１２７ｂの直径を拡大させるためのより大きな力を要することになる。
【００１５】
この発明は、内輪と円錐ころと保持器とを組み込む際に、比較的小さい力で組み込むことができる円錐ころ軸受および円錐ころ軸受の保持器を提供することを目的とする。
【課題を解決するための手段】
【００１６】
この発明に係る円錐ころ軸受は、外輪と、内輪と、複数の円錐ころと、複数の円錐ころの間隔を保持する保持器とを備える。上記した保持器は、小径側環状部と、大径側環状部と、円錐ころを収容するポケットを形成するように小径側および大径側環状部を連結する複数の柱部とを含む。ここで、上記した小径側環状部は、環状部の直径を弾性的に拡大させ得る弾性拡径許容部を有している。
【００１７】
このような弾性拡径許容部を小径側環状部に設けることにより、小径側環状部の弾性変形のみで小径側環状部の直径を拡大することができ、塑性変形させる程の大きな力で小径側環状部を拡大させる必要はなく、比較的小さい力で小径側環状部の直径を拡大し、内輪と円錐ころと保持器とを組み込むことができる。
【００１８】
好ましくは、弾性拡径許容部は、環状部を横切ってポケットにまで至るスリットである。このように構成することにより、弾性変形のみでスリットの幅を広げうることができ、容易に小径側環状部の直径を弾性的に拡大することができる。
【００１９】
より好ましくは、スリットは、隣接する二つの柱部の中央に位置するように設けられていてもよい。このように構成することにより、スリットの両横に位置する小径側環状部の突起部の円周方向の寸法を、左右均等にして小さくすることができる。したがって、ポケットに保持した円錐ころから受ける力により発生する小径側環状部の突起部の曲げ効力を、均等かつ小さくすることができ、小径側環状部の突起部が破壊するおそれが少なくなる。なお、本明細書中で「中央」とは、隣接する二つの柱部のほぼ中央付近ということを意味し、厳密に二つの柱部の真中に配置されていなくともよい。
【００２０】
また、スリットは、円周方向に等配で設けられていてもよい。このように構成することにより、一つ一つのスリットに対する弾性変形を少なくすることができ、より小さい力で均等に直径を拡大することができる。なお、本明細書中で「等配」とは、円周方向にほぼ均等に配置されていることを意味し、回転軸に点対称な円周方向の位置に、厳密にスリットが配置されていなくてもよい。
【００２１】
この発明の他の局面においては、円錐ころの保持器は、複数の円錐ころの間隔を保持し、小径側環状部と、大径側環状部と、円錐ころを収容するポケットを形成するように小径側および大径側環状部を連結する複数の柱部とを含む。ここで、上記した小径側環状部は、環状部の直径を弾性的に拡大させ得る弾性拡径許容部を有している。
【００２２】
このように構成することにより、内輪と円錐ころと上記した保持器とを組み込む際に、小径側環状部の弾性変形のみで小径側環状部の直径を拡大することができ、小径側環状部を拡大するプレスや、加締めて元の形状に戻すプレスを用いて、大きな力で塑性変形させ、小径側環状部を拡大したり、加締めて元の形状に戻さなくてもよく、比較的小さい力で小径側環状部の直径を拡大し、内輪と円錐ころと保持器とを組み込むことができる。
【発明の効果】
【００２３】
この発明によれば、内輪と円錐ころと保持器とを組み込む際に、小径側環状部に設けられた弾性拡径許容部の弾性変形のみで、保持器の小径側環状部を拡大することができ、塑性変形させる程の大きな力で小径側環状部を拡大させる必要はなく、比較的小さな力で小径側環状部の直径を拡大し、内輪と円錐ころと保持器とを組み込むことができる。
【００２４】
また、このような構成の保持器を含む円錐ころ軸受は、内輪と円錐ころと保持器とを組み込む際に、加工性を悪化させることがないため、容易に、円錐ころ軸受を大型化したり、接触角を大きくすることができ、より大きなスラスト荷重等を受けることができる。
【発明を実施するための最良の形態】
【００２５】
以下、この発明の実施の形態を図面を参照して説明する。図１は、この発明の一実施形態に係る円錐ころ軸受に含まれるプレス保持器１５ｂの一部を示す図である。図１を参照して、プレス保持器１５ｂは、内輪に組み込まれたときに小鍔側に配置される小径側環状部１７ｂと、内輪に組み込まれたときに大鍔側に配置される大径側環状部１８ｂと、円錐ころを収容するためのポケット１６ｂを形成するように、小径側環状部１７ｂと大径側環状部１８ｂとを連結する複数の柱部１９ｂとを有する。ここで、小径側環状部１７ｂの直径は、内輪の形状に沿って組み込まれるように、大径側環状部１８ｂの直径よりも小さく構成されている。
【００２６】
プレス保持器１５ｂの小径側環状部１７ｂには、小径側環状部１７ｂの直径を弾性的に拡大させることができる弾性拡径許容部として、小径側環状部１７ｂを横切ってポケット１６ｂにまで至るスリット２０ｂが設けられている。スリット２０ｂは、小径側環状部１７ｂに対して直角に設けられていなくてもよく、多少の角度を有していてもよい。さらに、スリット２０ｂの幅についても特に限定されず、スリット２０ｂの両横に位置する小径側環状部１７ｂの突起部２１ｂで、円錐ころの小端面を保持することができればよい。
【００２７】
このようにスリット２０ｂを設けることにより、弾性変形のみでスリットの幅を広げうることができ、容易に小径側環状部１７ｂの直径を弾性的に拡大することができる。したがって、プレス保持器１５ｂを内輪に組み込む際に、小径側環状部１７ｂの直径を拡大させるプレスや、加締めるプレスを使用して塑性変形させる程の大きな力を要することなく、比較的小さな力で小径側環状部１７ｂの直径を拡大し、プレス保持器１５ｂを内輪に組み込むことができる。
【００２８】
ここで、小径側環状部１７ｂに設けられたスリット２０ｂの円周方向の位置は、隣接する二つの柱部１９ｂの中間に位置することが好ましい。図２は、片方の柱部２７ｂに近い位置の小径側環状部２５ｂに、スリット２８ｂを設けた場合のプレス保持器２３ｂの一部を示す図である。図２を参照して、ポケット２４ｂに保持する円錐ころから矢印Ｔの方向に力を受けると、ポケット２４ｂの小端面側の角部Ｋを中心に、矢印Ｕの方向に曲げ応力がかかることになる。そうすると、突起部２９ｂの円周方向の寸法が長い分、突起部２９ｂの剛性に曲げ応力が打ち勝ち、突起部２９ｂが破壊するおそれがあるからである。
【００２９】
したがって、スリット２８ｂを隣接する柱部２７ｂの中央の位置に設けることにより、スリット２８ｂの両横に位置する突起部２９ｂの円周方向の寸法が同じになり、発生する曲げ応力を均等かつ小さくすることができる。その結果、突起部２９ｂが破壊するおそれが少なくなる。
【００３０】
図３は、図１に示したプレス保持器１５ｂを含む円錐ころ軸受を複列で使用した場合の複列円錐ころ軸受１１を表した断面図である。図３を参照して、複列円錐ころ軸受１１は、小径側端面が互いに向き合うよう配置された左右の内輪１２ａ、１２ｂと、左右の内輪１２ａ、１２ｂに対応する軌道面を有する外輪１４と、内輪１２ａ、１２ｂと外輪１４の間に配置された複数の円錐ころ１３ａ、１３ｂと、左右の列において複数の円錐ころ１３ａ、１３ｂの間隔を保持する左右のプレス保持器１５ａ、１５ｂとを有する。ここで、プレス保持器１５ａは、プレス保持器１５ｂと同じ構成であり、プレス保持器１５ａの小径側環状部１７ａには、スリット２０ａが設けられている。
【００３１】
内輪１２ａ、１２ｂは、大きなスラスト荷重等を受けるため、外輪軌道面と複列円錐ころ軸受１１の回転軸線（図示せず）とのなす角度である接触角が大きく構成されている。好ましくは、接触角は４０°〜４７°の範囲内に設定されている。
【００３２】
外輪１４は、中央部が径方向に凸状の断面形状をしており、内輪１２ａ、１２ｂとの間に複数の円錐ころ１３ａ、１３ｂを保持している。本実施形態では、外輪１４は一つで構成されているが、内輪１２ａ、１２ｂに対してそれぞれ別個の外輪が設けられていてもよい。
【００３３】
複数の円錐ころ１３ａ、１３ｂは、外輪１４と内輪１２ａ、１２ｂとの間に配置されており、プレス保持器１５ａ、１５ｂにより、その間隔を保持されている。
【００３４】
このような複列円錐ころ軸受１１を構成する部材のうち、内輪１２ｂと円錐ころ１３ｂとプレス保持器１５ｂの組み込み方法を説明する。
【００３５】
まず、プレス保持器１５ｂの各ポケットに、円錐ころ１３ｂをそれぞれ挿入する。ポケットに円錐ころ１３ｂを挿入後、プレス保持器１５ｂの小径側環状部１７ｂの直径を拡大させる。ここで、プレス保持器１５ｂにはスリット２０ｂが設けられているため、スリット２０ｂを押し広げる等により、小径側環状部１７ｂの弾性変形のみで、容易に小径側環状部１７ｂの直径を拡大させることができる。この場合、内輪１２ｂの小鍔の最大外径よりも、プレス保持器１５ｂに保持された円錐ころ１３ｂの小端面の内接円径の方が大きくなるよう、小径側環状部１７ｂの直径を拡大させる。
【００３６】
次に、円錐ころ１３ｂを保持したプレス保持器１５ｂを、円錐ころ１３ｂの大端面が内輪１２ｂの大鍔に接するように、内輪１２ｂに取り付ける。その後、プレス保持器１５ｂの拡大された小径側環状部１７ｂの直径を元に戻す。この場合、スリット２０ｂを押し広げて弾性的に小径側環状部１７ｂの直径が拡大されているため、押し広げられたスリット２０ｂを元に戻すことにより、容易に元の直径に戻すことができる。このようにして、内輪１２ｂと円錐ころ１３ｂとプレス保持器１５ｂとを組み込む。
【００３７】
こうすることにより、小径側環状部１７ｂの弾性変形のみで、小径側環状部１７ｂの直径を拡大させることができ、容易に内輪１２ｂと円錐ころ１３ｂとプレス保持器１５ｂとを組み込むことができる。
【００３８】
なお、同様にして、内輪１２ａと円錐ころ１３ａとプレス保持器１５ａを組み込み、組み込まれた内輪１２ｂと円錐ころ１３ｂとプレス保持器１５ｂの集合体と、内輪１２ａと円錐ころ１３ａとプレス保持器１５ａの集合体と、外輪１４とを組み込むことにより、複列円錐ころ軸受１１が組み立てられる。
【００３９】
ここで、先の実施の形態については、スリット２０ｂを一箇所だけ設けることにしたが、これに限らず、スリット２０ｂを円周方向に等配の位置に、複数設けることにしてもよい。すなわち、スリット２０ｂを回転軸線にほぼ点対称の位置に設けることにする。こうすることにより、一つ一つのスリット２０ｂに対する弾性変形の量を少なくすることができ、より小さい力で均等に小径側環状部１７ｂの直径を拡大することができる。
【００４０】
また、先の実施の形態については、内輪１２ｂと円錐ころ１３ｂとプレス保持器１５ｂを組み込んだ後も、プレス保持器１５ｂにはスリット２０ｂが存することになっているが、これに限らず、組み込んだ後に、スリット２０ｂを溶接したり、接着したりして、スリット２０ｂをなくすことにしてもよい。こうすることにより、内輪１２ｂと円錐ころ１３ｂとプレス保持器１５ｂを組み込んだ後の、プレス保持器１５ｂの剛性、特に、小径側環状部１７ｂの剛性をあげることができる。
【００４１】
また、先の実施の形態において、弾性拡径許容部としてプレス保持器１５ｂの小径側環状部１７ｂにスリット２０ｂを設けることとしたが、これに限らず、弾性拡径許容部として小径側環状部１７ｂの一部または全部に、円周方向に弾性変形が可能な蛇腹状の波打ち部を設けてもよい。このように構成することにより、蛇腹状の波打ち部の弾性変形のみで小径側環状部の直径を拡大することができるため、上記した方法と同様の方法で、内輪１２ｂと円錐ころ１３ｂとプレス保持器１５ｂを組み込むことができる。
【００４２】
なお、先の実施の形態においては、この発明の実施の形態に係る円錐ころ軸受として複列円錐ころ軸受を用いて説明したが、これに限らず、単列の円錐ころ軸受を複数使用し、各円錐ころ軸受を組み合わせて用いる場合、さらには、円錐ころ軸受を単独で用いた場合についても同様に適用される。具体的には、円錐ころ軸受は、外輪と、内輪と、複数の円錐ころと、複数の円錐ころの間隔を保持する保持器とを備え、上記した保持器は、小径側環状部と、大径側環状部と、円錐ころを収容するポケットを形成するように小径側および大径側環状部を連結する複数の柱部とを含み、上記した小径側環状部は、環状部の直径を弾性的に拡大させ得る弾性拡径許容部を有している。
【００４３】
図４および図５は、上記した円錐ころ軸受を主軸支持軸受３５として適用した、風力発電機の主軸支持構造の一例を示している。主軸支持構造の主要部品を支持するナセル３２のケーシング３３は、高い位置で、旋回座軸受３１を介して支持台３０上に水平旋回自在に設置されている。風力を受けるブレード３７を一端に固定する主軸３６は、ナセル３２のケーシング３３内で、軸受ハウジング３４に組み込まれた主軸支持軸受３５を介して、回転自在に支持されている、主軸３６の他端は増速機３８に接続され、この増速機３８の出力軸が発電機３９のロータ軸に結合されている。ナセル３２は、旋回用モータ４０により、減速機４１を介して任意の角度に旋回させられる。
【００４４】
軸受ハウジング３４に組み込まれた主軸支持軸受３５は、この発明の一実施形態に係る円錐ころ軸受であって、外輪と、内輪と、複数の円錐ころと、複数の円錐ころの間隔を保持する保持器とを備える。上記した保持器は、小径側環状部と、大径側環状部と、円錐ころを収容するポケットを形成するように小径側および大径側環状部を連結する複数の柱部とを含む。ここで、小径側環状部は、環状部の直径を弾性的に拡大させ得る、たとえば、スリットや蛇腹状の波打ち部のような弾性拡径許容部を有している。
【００４５】
主軸支持軸受３５を、このような構成の円錐ころ軸受にすることにより、内輪と円錐ころとプレス保持器とを組み込む際に、小径側環状部の弾性変形のみで小径側環状部の直径を拡大することができ、塑性変形させる程の大きな力で小径側環状部を拡大させる必要はなく、比較的小さい力で内輪と円錐ころと保持器とを組み込むことができる。
【００４６】
なお、上記した実施の形態において、円錐ころ軸受を構成する部材としてプレス保持器を使用して説明したが、これに限らず、他の保持器、たとえば、成型保持器や揉みぬき保持器等を使用してもよい。
【００４７】
また、この発明の実施の形態に係る主軸支持構造に用いる主軸支持軸受として円錐ころ軸受を使用したが、これに限らず、円錐ころ軸受を複数使用し、各円錐ころ軸受を組み合わせて用いてもよいし、さらには、円錐ころ軸受を複列で用いてもよい。
【００４８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４９】
この発明に係る円錐ころ軸受および円錐ころ軸受の保持器は、保持器の弾性変形のみで小径側環状部を拡大することができ、比較的小さな力で内輪と円錐ころと保持器とを組み込むことができるため、特に、大型化した円錐ころ軸受や、接触角を大きくした円錐ころ軸受およびこのような円錐ころ軸受に使用される保持器に有効に利用できる。
【図面の簡単な説明】
【００５０】
【図１】この発明の一実施形態に係る円錐ころ軸受に含まれるプレス保持器１５ｂの一部を示す図である。
【図２】片方の柱部１９ｂに近い位置にスリット２８ｂを設けた場合のプレス保持器２３ｂの一部を示す図である。
【図３】図１に示すプレス保持器１５ｂを含む円錐ころ軸受を複列で使用した場合の複列円錐ころ軸受１１を示す断面図である。
【図４】この発明に係る円錐ころ軸受を用いた風力発電機の主軸支持構造の一例を示す図である。
【図５】図４に示した風力発電機の主軸支持構造の図解的側面図である。
【図６】自動調心ころ軸受１０１を風力発電機の主軸に使用した場合の概略図である。
【図７】従来における複列円錐ころ軸受１２１の一例を示す断面図である。
【図８】従来におけるプレス保持器１２５ｂの図解的概略図である。
【図９】従来における小径側環状部１２７ｂの直径が拡大された状態（Ａ）および小径側環状部１２７ｂが元の直径に戻された状態（Ｂ）を表した断面図である。
【符号の説明】
【００５１】
１１  複列円錐ころ軸受、１２ａ，１２ｂ  内輪、１３ａ，１３ｂ  円錐ころ、１４  外輪、１５ａ，１５ｂ，２３ｂ  プレス保持器、１６ｂ，２４ｂ  ポケット、１７ａ，１７ｂ，２５ｂ  小径側環状部、１８ｂ  大径側環状部、１９ｂ，２７ｂ  柱部、２０ａ，２０ｂ，２８ｂ  スリット、２１ｂ，２９ｂ  突起部、３０  支持台、３１  旋回座軸受、３２  ナセル、３３  ケーシング、３４  軸受ハウジング、３５  主軸支持軸受、３６  主軸、３７  ブレード、３８  増速機、３９  発電機、４０  旋回用モータ、４１  減速機。
【図１】
2007024110.tif 000003
【図２】
2007024110.tif 000004
【図３】
2007024110.tif 000005
【図４】
2007024110.tif 000006
【図５】
2007024110.tif 000007
【図６】
2007024110.tif 000008
【図７】
2007024110.tif 000009
【図８】
2007024110.tif 000010
【図９】
2007024110.tif 000011